(57)【要約】【課題】接続対象物を小さな挿入力で確実にコネクタ本体内に挿入することができ、しかも接続対象物と端子との接続状態が容易に解除されることのないコネクタを提供する。【解決手段】スライド部材５０を後方に移動させると、スライド部材５０の端子案内部５１ａと各第１の端子２０との当接により、各第１の端子２０の弾性片部２１をケーブル１との接触方向反対側に弾性変形させるようにしたので、ケーブル１の挿入時に各第１の端子２０の接触圧がケーブル１に加わることがなく、ケーブル１を小さな挿入力で確実にコネクタ本体１０内に挿入することができる。この場合、ケーブル１に上方への力が加わった場合でも、スライド部材５０が上方に回動することがないので、ケーブル１と各端子２０，３０，４０との接続状態が容易に解除されることがない。【選択図】図１０
2005347021.tif 000002
【特許請求の範囲】
【請求項１】
接続対象物を前後方向に挿入可能なコネクタ本体と、コネクタ本体内に互いに幅方向に間隔をおいて配置された弾性変形可能な端子と、コネクタ本体に前後方向に移動自在に設けられたスライド部材とを備え、コネクタ本体内に挿入された接続対象物に各端子を接触させるようにしたコネクタにおいて、
前記スライド部材に、スライド部材を前後方向一方に移動させると、端子との当接により端子を接続対象物との接触方向反対側に弾性変形させる端子案内部を設けた
ことを特徴とするコネクタ。
【請求項２】
前記端子案内部をスライド部材の移動方向に対して傾斜した面が端子と当接するように形成した
ことを特徴とする請求項１記載のコネクタ。
【請求項３】
前記スライド部材に、スライド部材を前後方向一方の所定位置まで移動するとコネクタ本体側に係止してスライド部材の前後方向他方への移動を規制し、所定の操作によりコネクタ本体側との係止を解除可能な係止部を設けた
ことを特徴とする請求項１または２記載のコネクタ。
【請求項４】
前記スライド部材に前記所定の操作によりコネクタ本体の幅方向に弾性変形可能な可動部を設け、
可動部にはコネクタ本体側に係止可能な前記係止部を設けた
ことを特徴とする請求項３記載のコネクタ。
【請求項５】
前記接続対象物の上下方向一方の面に設けられた信号線用導電部に接触する複数の信号線用端子と、接続対象物の上下方向他方の面に設けられたグランド用導電部に接触する少なくとも一つのグランド用端子とを備え、
グランド用端子を一部の信号線用端子に対向するように配置するとともに、
スライド部材の端子案内部をグランド用端子に対向する信号線用端子のみに対応するように設けた
ことを特徴とする請求項１、２、３または４記載のコネクタ。
【発明の詳細な説明】
【技術分野】
【０００１】
本発明は、例えばフレキシブルプリント回路（ＦＰＣ）やフレキシブルフラットケーブル（ＦＦＣ）等を接続するためのコネクタに関するものである。
【背景技術】
【０００２】
従来、この種のコネクタとしては、ＦＰＣやＦＦＣ等の接続対象物の一端を所定位置に挿入可能なコネクタ本体と、コネクタ本体内に互いに幅方向に間隔をおいて配置された弾性変形可能な複数の端子と、コネクタ本体に前後方向に移動自在に取付けられたスライド部材を備え、スライド部材を前方に引き出すと、接続対象物がコネクタ本体に挿入可能となり、接続対象物をコネクタ本体に挿入した状態でスライド部材を後方に移動させると、スライド部材によって各端子と接続対象物とを互いに圧接させるようにしたものが知られている（例えば、特許文献１参照。）。
【０００３】
また、他のコネクタとして、コネクタ本体に一端を回動自在に取付けられた回動部材を備え、回動部材を上方に回動すると、接続対象物がコネクタ本体に挿入可能となり、接続対象物をコネクタ本体に挿入した状態で回動部材を下方に回動すると、回動部材によって各端子と接続対象物とを互いに圧接させるようにしたものが知られている（例えば、特許文献２参照。）。
【特許文献１】特開２００３−７３７７号公報
【特許文献１】特開２００３−１０９６９５号公報
【発明の開示】
【発明が解決しようとする課題】
【０００４】
しかしながら、前者のコネクタでは、スライド部材を移動させながらスライド部材によって各端子を接続対象物側に押圧するようになっているため、端子の数が多くなると各端子の押圧に必要な力も大きくなる。このため、接続時のスライド部材の操作性が低下し、端子押圧側へのスライド部材の移動が不十分になって接続不良を生じやすいという問題点があった。また、後者のコネクタでは、回動部材を下方に回動することによって各端子を接続対象物側に押圧するようになっているため、スライド部材を用いたものに比べて端子押圧側に力を加えやすいが、接続された接続対象物に上方への力が加わった場合、回動部材が上方に回動して接続状態が解除されやすいという問題点があった。
【０００５】
本発明は前記問題点に鑑みてなされたものであり、その目的とするところは、接続対象物を小さな挿入力で確実にコネクタ本体内に挿入することができ、しかも接続対象物と端子との接続状態が容易に解除されることのないコネクタを提供することにある。
【課題を解決するための手段】
【０００６】
本発明は前記目的を達成するために、接続対象物を前後方向に挿入可能なコネクタ本体と、コネクタ本体内に互いに幅方向に間隔をおいて配置された弾性変形可能な端子と、コネクタ本体に前後方向に移動自在に設けられたスライド部材とを備え、コネクタ本体内に挿入された接続対象物に各端子を接触させるようにしたコネクタにおいて、前記スライド部材に、スライド部材を前後方向一方に移動させると、端子との当接により端子を接続対象物との接触方向反対側に弾性変形させる端子案内部を設けている。
【０００７】
これにより、スライド部材を前後方向一方に移動させると、スライド部材の端子案内部が端子に当接し、端子案内部によって端子が接続対象物との接触方向反対側に弾性変形することから、接続対象物の挿入時に端子の接触圧が接続対象物に加わることがない。
【発明の効果】
【０００８】
接続対象物の挿入時に端子の接触圧が接続対象物に加わることがないので、接続対象物を小さな挿入力で確実にコネクタ本体内に挿入することができる。従って、端子の数が多い場合でも接続対象物をコネクタ本体内の所定位置まで確実に挿入することができ、接続不良を効果的に防止することができる。この場合、接続対象物に上方への力が加わった場合でも、接続対象物が上方に回動することがないので、接続対象物と端子との接続状態が容易に解除されることがないという利点がある。
【発明を実施するための最良の形態】
【０００９】
図１乃至図１０は本発明の一実施形態を示すもので、図１はコネクタの斜視図、図２はその正面図、図３はその平面図、図４はその平面断面図、図５は図２のＡ−Ａ線矢視方向断面図、図６は図３のＢ−Ｂ線矢視方向断面図、図７はフレキシブルフラットケーブルの要部平面図、図８はその要部底面図、図９はスライド部材の動作を示す平面断面図、図１０はその側面断面図である。
【００１０】
このコネクタは、接続対象物としてのフレキシブルフラットケーブル１（以下、ケーブル１という。）の一端側を挿入可能なコネクタ本体１０と、コネクタ本体１０の幅方向一端側及び他端側に互いに幅方向に間隔をおいて配置された複数の第１の端子２０と、コネクタ本体１０の幅方向中央側に互いに幅方向に間隔をおいて配置された複数の第２の端子２０と、コネクタ本体１０の幅方向一端側及び他端側に互いに幅方向に間隔をおいて配置された複数の第３の端子４０と、コネクタ本体１０に前後方向に移動自在に設けられたスライド部材５０とから構成されている。
【００１１】
ケーブル１は、シート状に形成された絶縁性のケーブル本体２と、ケーブル本体２の一方の面に互いに幅方向に間隔をおいて設けられた複数の信号線用導電部３と、ケーブル本体２の他方の面の幅方向一端側及び他端側に互いに幅方向に間隔をおいて設けられた複数のグランド用導電部４とからなり、ケーブル本体２の端部を除く部分は各グランド用導電部４と導通するシールド部材５によって被覆されている。
【００１２】
コネクタ本体１０は合成樹脂の成型品からなり、前面側を開口した箱状に形成されている。コネクタ本体１０は、上面部１１、底面部１２及び側面部１３からなり、前面開口部からケーブル１が挿入されるようになっている。コネクタ本体１０の背面側の幅方向一端側及び他端側には複数の第１の端子孔１０ａが互いに幅方向に等間隔で設けられ、各第１の端子孔１０ａには各第１の端子２０がそれぞれ保持されている。また、コネクタ本体１０の背面側の中央側には複数の第２の端子孔１０ｂが互いに幅方向に等間隔で設けられ、各第２の端子孔１０ｂには各第２の端子２０がそれぞれ保持されている。更に、コネクタ本体１０の前面側の幅方向一端側及び他端側には複数の第３の端子孔１０ｃが互いに幅方向に等間隔で設けられ、各第３の端子孔１０ｃには各第３の端子４０がそれぞれ保持されている。各側面部１３にはそれぞれ前後方向に延びる係合孔１３ａが設けられ、各係合孔１３ａにはスライド部材５０が係合するようになっている。また、各係合孔１３ａの側面には前後方向に延びる長孔１３ｂが設けられ、その前端部１３ｃにはスライド部材５０が係止するようになっている。
【００１３】
各第１の端子２０は弾性変形可能な導電性の金属板からなり、コネクタ本体１０の各第１の端子孔１０ａにそれぞれ保持されている。各第１の端子２０は、互いに上下方向に間隔をおいて前方に向かって二股状に延びる弾性片部２１及び固定片部２２を有し、その後端には図示しない基板に接続される基板接続部２３が設けられている。弾性片部２１の先端側にはケーブル１の上面側に接触する接触部２１ａが設けられ、接触部２１ａは下方に突出するように形成されている。また、弾性片部２１の先端側にはスライド部材５０に当接可能な傾斜部２１ｂが設けられ、傾斜部２１ｂは前方に向かって斜め上方に延びるように形成されている。
【００１４】
各第２の端子３０は弾性変形可能な導電性の金属板からなり、コネクタ本体１０の各第２の端子孔１０ｂにそれぞれ保持されている。各第２の端子３０は、互いに上下方向に間隔をおいて前方に向かって二股状に延びる弾性片部３１及び固定片部３２を有し、その後端には図示しない基板に接続される基板接続部３３が設けられている。弾性片部３１の先端側にはケーブル１の上面側に接触する接触部２１ａが設けられ、接触部２１ａは下方に突出するように形成されている。
【００１５】
各第３の端子４０は弾性変形可能な導電性の金属板からなり、コネクタ本体１０の各第３の端子孔１０ｃにそれぞれ保持されている。各第３の端子４０は、前後方向に延びる固定片部４１と、固定片部４１の前後方向略中央から前方に向かって斜め上方に延びる弾性片部４２とを有し、固定片部４１の前端には図示しない基板に接続される基板接続部４３が設けられている。弾性片部４２の先端側にはケーブル１の下面側に接触する接触部４２ａが設けられ、接触部４２ａの先端側は下方に向かって屈曲している。尚、各第３の端子４０はそれぞれ各第１の端子２０に対向する位置に設けられている。
【００１６】
スライド部材５０は合成樹脂の成型品からなり、コネクタ本体１０の上部前方に配置される上面部５１と、上面部５１の幅方向両端からそれぞれ後方に延びる一対の側面部５２と、各側面部５２の後端からそれぞれ前方に延びる一対の可動部５３と、各可動部５３の先端に設けられた一対の操作部５４とから構成されている。上面部５１はコネクタ本体１０の幅方向に延びるように形成され、その幅方向一端側及び他端側には各第１の端子２０の傾斜部２１ｂを上方に案内する端子案内部５１ａがそれぞれ設けられている。この場合、各端子案内部５１ａは後方に向かって斜め上方に臨むように傾斜している。側面部５２及び可動部５３はコネクタ本体１０の係合孔１３ａに前後方向に移動自在に挿入されており、側面部５２は係合孔１３ａの一方の側面に沿って摺動し、可動部５３はその他方の面に沿って摺動するようになっている。また、側面部５２及び可動部５３は互いに略Ｕ字状をなすように形成され、可動部５３は係合孔１３ａの幅方向に弾性変形可能に形成されている。可動部５３の側面には長孔１３ｂの前端に係止可能な第１及び第２の係止部５３ａ，５３ｂがそれぞれ前後二箇所に設けられ、スライド部材５０を後方に移動すると第１の係止部５３ａが長孔１３ｂの前端部１３ｃに係止し、スライド部材５０を前方に移動すると第２の係止部５３ｂが長孔１３ｂの前端部１３ｃに係止するようになっている。各操作部５４はスライド部材５０の幅方向外側に向かって突設され、幅方向両側から指先で同時に把持可能に形成されている。
【００１７】
以上のように構成されたコネクタにケーブル１を接続する場合には、図９(a) に示すようにスライド部材５０が前方に位置した状態でスライド部材５０の各操作部５４をそれぞれ幅方向内側に向かって押圧することにより、各可動部５３の第２の係止部５３ｂと長孔１３ｂの前端との係止を解除し、図９(b) に示すようにスライド部材５０を後方所定位置まで移動させると、図１０(a) に示すようにスライド部材５０の端子案内部５１ａが各第１の端子２０の傾斜部２１ｂに当接し、端子案内部５１ａの傾斜により各第１の端子２０の傾斜部２１ｂが上方に案内される。これにより、図１０(b) に示すように各第１の端子２０の弾性片部２１が上方に弾性変形するとともに、各第１の端子２０の接触部２１ａがコネクタ本体１０内に挿入されるケーブル１の上面よりも上方に移動し、ケーブル１が各第１の端子２０からの接触圧を受けることなく挿入される。その際、各第３の端子４０の接触部４２ａが弾性片部４２を下方に弾性変形させながらケーブル１の下面に圧接し、各第３の端子４０がケーブル１の各グランド用導電部４に接続される。また、スライド部材５０が前記後方所定位置まで移動すると、各可動部５３の第１の係止部５３ａが長孔１３ｂの前端部１３ｃに係止し、スライド部材５０の前方への移動が規制されることから、スライド部材５０に後方への押圧力を加えていなくともスライド部材５０が前方に移動することがない。次に、ケーブル１をコネクタ本体１０内の所定位置までに挿入した後、スライド部材５０の各操作部５４をそれぞれ幅方向内側に向かって押圧することにより、各可動部５３の第１の係止部５３ａと長孔１３ｂの前端部１３ｃとの係止を解除すると、各第１の端子２０の弾性片部２１の弾性によりスライド部材５０の端子案内部５１ａが前方に押圧され、図１０(c) に示すようにスライド部材５０が前方に移動する。これにより、スライド部材５０の端子案内部５１ａと各第１の端子２０の傾斜部２１ｂとの当接が解除され、各第１の端子２０の弾性片部２１が下方に弾性変形するとともに、各第１の端子２０の接触部２１ａがケーブル１の上面に圧接し、各第１の端子２０がケーブル１の各信号線用導電部３に接続される。
【００１８】
このように、本実施形態のコネクタによれば、スライド部材５０を後方に移動させると、スライド部材５０の端子案内部５１ａと各第１の端子２０との当接により、各第１の端子２０の弾性片部２１をケーブル１との接触方向反対側に弾性変形させるようにしたので、ケーブル１の挿入時に各第１の端子２０の接触圧がケーブル１に加わることがなく、ケーブル１を小さな挿入力で確実にコネクタ本体１０内に挿入することができる。従って、各第１の端子２０の数が多い場合でも、ケーブル１をコネクタ本体１０内の所定位置まで確実に挿入することができ、接続不良を効果的に防止することができる。この場合、ケーブル１に上方への力が加わった場合でも、スライド部材５０が上方に回動することがないので、ケーブル１と各端子２０，３０，４０との接続状態が容易に解除されることがないという利点がある。
【００１９】
また、端子案内部５１ａをスライド部材５０の移動方向に対して上方に臨むように傾斜した面が各第１の端子２０と当接するように形成したので、各第１の端子２０の弾性片部２１の弾性によりスライド部材５０の端子案内部５１ａを前方に押圧することができ、ケーブル１を挿入した後にスライド部材５０を確実に前方に移動させることができる。
【００２０】
更に、スライド部材５０を後方の所定位置まで移動すると、スライド部材５０の第１の係止部５３ａがコネクタ本体１０の長孔１３ｂの前端部１３ｃに係止し、スライド部材５０の前方への移動を規制するようにしたので、スライド部材５０に後方への押圧力を加えていなくともスライド部材５０が前方に移動することがなく、ケーブル１の挿入作業を極めて容易に行うことができる。この場合、スライド部材５０の各操作部５４をそれぞれ内側に押圧すると、第１の係止部５３ａと長孔１３ｂの前端部１３ｃとの係止が解除されるようにしたので、スライド部材５０の前方への移動規制を容易に解除することができ、スライド部材５０を前方所定位置まで確実に移動させることができる。
【００２１】
また、スライド部材４０に各操作部５４の操作によりコネクタ本体１０の幅方向に弾性変形可能な可動部５３を設け、可動部５３にコネクタ本体１０の長孔１３ｂの前端部１３ｃに係止可能な第１の係止部５３ａを設けたので、第１の係止部５３ａの係止及び係止解除操作を可動部５３の弾性変形によって容易に行うことができ、操作性の向上を図ることができる。
【００２２】
更に、ケーブル１の信号線用導電部３に接触する第１及び第２の端子２０，３０と、ケーブル１のグランド用導電部４に接触する第３の端子４０を備え、スライド部材５０の端子案内部５１ａを第３の端子４０に対向して配置された第１の端子２０のみに対応するように設けることにより、ケーブル１との接触位置に第３の端子４０の接触圧が加わらない第２の端子３０を除き、第３の端子４０の接触圧が加わる第１の端子２０のみをスライド部材５０の端子案内部５１ａによって弾性変形させるようにしたので、スライド部材５０の移動に要する力が無用に大きくなることがなく、スライド部材５０の操作を円滑に行うことができる。
【００２３】
尚、前記実施形態では、ケーブル本体２の他方の面の幅方向一端側及び他端側に複数のグランド用導電部４を幅方向に間隔をおいて設けたケーブル１を示したが、ケーブル本体２の他方の面の全幅に亘ってグランド用導電部を形成したケーブルを接続するようにしてもよい。
【図面の簡単な説明】
【００２４】
【図１】本発明の一実施形態を示すコネクタの斜視図
【図２】コネクタの正面図
【図３】コネクタの平面図
【図４】コネクタの平面断面図
【図５】図２のＡ−Ａ線矢視方向断面図
【図６】図３のＢ−Ｂ線矢視方向断面図
【図７】フレキシブルフラットケーブルの要部平面図
【図８】フレキシブルフラットケーブルの要部底面図
【図９】スライド部材の動作を示す平面断面図
【図１０】スライド部材の動作を示す側面断面図
【符号の説明】
【００２５】
１…フレキシブルフラットケーブル、３…信号線用導電部、４…グランド用導電部、１０…コネクタ本体、２０…第１の端子、３０…第２の端子、４０…第３の端子、５０…スライド部材、５３…可動部、５３ａ…第１の係止部、５３ｂ…第２の係止部、５４…操作部。
【図１】
2005347021.tif 000003
【図２】
2005347021.tif 000004
【図３】
2005347021.tif 000005
【図４】
2005347021.tif 000006
【図５】
2005347021.tif 000007
【図６】
2005347021.tif 000008
【図７】
2005347021.tif 000009
【図８】
2005347021.tif 000010
【図９】
2005347021.tif 000011
【図１０】
2005347021.tif 000012